(57)【要約】【課題】例えば建築物の屋内空間を複数の部屋に仕切る場合などに用いる間仕切壁の上部取付構造、特にコンクリート系パネル等の間仕切壁の上部を天井等の上部構造体にランナーを介して取付ける場合の間仕切壁の上部取付構造に係り、上記ランナーと間仕切壁との間から騒音や煙等が流通するのを確実に防止できるようにする。【解決手段】天井等の上部構造体１の下面に、下側が開口する断面コ字形のランナー２を釘やビス等の固着具３で取付け、上記ランナー２に、間仕切壁４の上部を挿入係合させて位置決め保持させるようにした間仕切壁の上部取付構造において、上記コ字形ランナー２の対向片２ｂ・２ｂの少なくとも一方の下端部に外側方に突出する折曲部２１を形成し、その折曲部２１と、上記ランナー２に上部を挿入係合させた間仕切壁４との間に形成される凹部ｈに不定形充填材６を充填したことを特徴とする。【選択図】  図１
2010024697.tif 000002
【特許請求の範囲】
【請求項１】
天井等の上部構造体の下面に、下側が開口する断面コ字形のランナーを釘やビス等の固着具で取付け、上記ランナーに、間仕切壁の上部を挿入係合させて位置決め保持させるようにした間仕切壁の上部取付構造において、
上記コ字形ランナーの対向片の少なくとも一方の下端部に外側方に突出する折曲部を形成し、その折曲部と、上記ランナーに上部を挿入係合させた間仕切壁との間に形成される凹部に不定形充填材を充填したことを特徴とする間仕切壁の上部取付構造。
【請求項２】
上記コ字形ランナーの対向片の少なくとも一方の下端部に外側方に突出する断面Ｌ字形の折曲部を形成してなる請求項１に記載の間仕切壁の上部取付構造。
【請求項３】
上記コ字形ランナーの対向片の少なくとも一方の下端部に外側方に突出する斜め下向きの折曲部を形成してなる請求項１に記載の間仕切壁の上部取付構造。
【発明の詳細な説明】
【技術分野】
【０００１】
本発明は、例えば建築物の屋内空間を複数の部屋に仕切る場合などに用いる間仕切壁の上部取付構造に関する。更に詳しくは、例えばＡＬＣ（軽量気泡コンクリート）等のコンクリート系パネルなどよりなる間仕切壁の上部を天井等の上部構造体にランナーを介して取付ける場合の間仕切壁の上部取付構造に関するものである。
【背景技術】
【０００２】
従来、例えばＲＣ造、ＳＲＣ造等の建築物の屋内空間を、上記のようなコンクリート系パネル等の間仕切壁によって複数の部屋に仕切る場合、上記間仕切壁の上部取付構造として、天井等の上部構造体に取付けた断面コ字形のランナーに間仕切壁の上部を挿入係合させて所定の位置に配置固定するようにしたものは知られている（例えば下記特許文献１，２参照）。
【０００３】
図７および図８は上記従来の間仕切壁の上部取付構造の一例を示すもので、天井等の上部構造体１の下面１ａに、下側が開口する断面コ字形のランナー２の基部２ａを釘やビス等の固着具３で取付け、そのコ字形ランナー２内に間仕切壁４の上部を挿入係合させる構成である。その際、上記間仕切壁４は、あたかも戸や障子等の建具を鴨居に建て込むときのように、上記ランナー２に斜め下から挿入係合させた後、やや下降させて間仕切壁の下端部を不図示の床等の下部構造体に適宜の手段で固定するものである。
【０００４】
この場合、上記コ字形ランナー２の基部２ａの内面（下面）と、間仕切壁４の上端との間には、所定の間隔Ｓを設ける必要があり、また上記コ字形ランナー２の下向きの対向片２ｂ・２ｂと、間仕切壁４の上部側面との間には、僅かな隙間ｇを設けるのが一般的である。そのため、上記間仕切壁４で仕切られた一方の部屋から他方の部屋に、上記の間隔Ｓや隙間ｇを通って音が洩れたり、火災発生時には煙が流入する等のおそれがある。
【０００５】
また上記間仕切壁４としてＡＬＣ等のコンクリート系パネルを用いた場合には、図９に示すように隣り合うパネル（間仕切壁）間の縦目地４ａに、通常シーリング材５が充填されるが、上記パネルの上部は前記ランナー２の下向きの対向片２ｂ・２ｂで覆われているので、縦目地４ａの上端部までシーリング材５を充分に充填することができない。そのため、上記縦目地４ａと前記の間隔Ｓを通って騒音や煙等が流通する等のおそれがある。
【０００６】
【特許文献１】特開平５−９９９３号公報
【特許文献２】特開２００２−１２９６７４号公報
【発明の開示】
【発明が解決しようとする課題】
【０００７】
本発明は上記の問題点に鑑みて提案されたもので、間仕切壁の上部のランナーとの間から騒音や煙等が流通するのを確実に防止することのできる遮音性能および遮煙性能の優れた間仕切壁の上部取付構造を提供することを目的とする。
【課題を解決するための手段】
【０００８】
上記の目的を達成するために本発明による間仕切壁の上部取付構造は、以下の構成としたものである。すなわち、天井等の上部構造体の下面に、下側が開口する断面コ字形のランナーを釘やビス等の固着具で取付け、上記ランナーに、間仕切壁の上部を挿入係合させて位置決め保持させるようにした間仕切壁の上部取付構造において、上記コ字形ランナーの下向き対向片の少なくとも一方の端部に外側方に突出する折曲部を形成し、その折曲部と、上記ランナーに上部を挿入係合させた間仕切壁との間に形成される凹部に不定形充填材を充填したことを特徴とする。
【０００９】
なお、上記折曲部は、上記コ字形ランナーの下向き対向片の少なくとも一方の端部に、外側方に突出する断面Ｌ字形に形成する、或いは上記コ字形ランナーの下向き対向片の少なくとも一方の端部に、外側方に突出する斜め下向きの折曲部を形成する等その他適宜である。
【発明の効果】
【００１０】
上記のように本発明による間仕切壁の上部取付構造は、コ字形ランナーの下向き対向片の少なくとも一方の端部に、外側方に突出する折曲部を形成し、その折曲部と、上記ランナーに挿入係合させた間仕切壁との間に形成される凹部に不定形充填材を充填したことによって、上記間仕切壁の上部のランナーとの間から騒音や煙等が流通するのを確実に防止することが可能となり、遮音性能および遮煙性能の優れた間仕切壁の上部取付構造を提供することができる。また、不定形充填材を使用したことによって、間仕切壁の面内方向の移動が許容され、耐震性能は前記従来のランナーを用いた場合と同等の性能を維持することができる。さらに、不定形充填材を用いると、施工が容易で、しかも施工状況の確認も容易であり、施工費用が少なくて済む等の利点がある。
【発明を実施するための最良の形態】
【００１１】
以下、本発明を図に示す実施形態に基づいて具体的に説明する。図１は本発明による間仕切壁の上部取付構造の一実施形態を示す縦断面、図２は上記実施形態で用いたランナーの斜視図、図３（ａ）は縦目地部分の縦断面図、（ｂ）は（ａ）におけるｂ−ｂ断面図であり、前記従来例と同様の機能を有する部材には同一の符号を付して説明する。
【００１２】
本実施形態は、下側が開口する断面コ字形の鋼材やステンレス等の金属板よりなるランナー２の両対向片２ｂ・２ｂの下端部に、それぞれ外側方すなわち上記各対向片２ｂ・２ｂの対向側と反対側に突出する断面Ｌ字形の折曲部２１を一体に形成したものである。そのランナー２は、前記従来例と同様に上部の基部２ａを、天井等の上部構造体１の下面１ａに当接させて、釘やビス等の固着具３で取付けた構成であり、そのランナー２内に間仕切壁４の上部を挿入係合させると共に、上記折曲部２１と間仕切壁４とで形成される凹部ｈ内に不定形充填材６を充填したものである。
【００１３】
上記のようにコ字形ランナー２の対向片２ｂの端部に、外側方に突出する折曲部２１を形成し、その折曲部２１と、上記ランナー２に挿入係合させた間仕切壁４の側面とで形成される凹部ｈに不定形充填材６を充填したことによって、上記間仕切壁４の上部のランナー２との間から騒音や煙等が流通するのを確実に防止することが可能となり、遮音性能および遮煙性能の優れた間仕切壁の上部取付構造を提供することができる。また上記のように不定形充填材６を使用したことによって、間仕切壁４の面内方向の移動が許容され、例えば地震等の発生時の耐震性能は前記従来のランナーを用いた場合と同等の性能を維持することができる。
【００１４】
また上記間仕切壁４としてＡＬＣ等のコンクリート系パネルを用いた場合には、ランナー２の対向片２ｂ・２ｂの下端部に形成される折曲部２１が、上記対向片２ｂよりも外側方に突出して形成されているので、隣り合うパネル（間仕切壁）間の縦目地４ａに充填されるシーリング材５を、図３に示すように上記折曲部２１の下端よりも上方位置まで充填できると共に、上記折曲部２１と間仕切壁４とで形成される凹部ｈに不定形充填材６を充填することによって、上記縦目地４ａを含めてランナー２と間仕切壁４との間の隙間ｇを完全に閉塞することが可能となり、騒音や煙等が流通するのを簡単・確実に防止することができる。
【００１５】
なお、上記の縦目地４ａに充填されるシーリング材５としては、例えばＡＬＣ等のコンクリート系パネルにあっては、通常アクリル系、ポリウレタン系、変成シリコン系、シリコン系等の樹脂が用いられるが、その材質は適宜である。また不定形充填材６としては、例えばゼリー状、ゲル状、粘土状等の一定の形状を有さない充填材を用いるもので、その材質は適宜であるが、好ましくは耐火性や耐熱性のよい材質のものを用いるとよく、例えば変成シリコン系、シリコン系等の樹脂を用いることができる。さらに上記のシーリング材５と不定形充填材６は、好ましくは同材質または同系の材質のものを用いるとよく、そのようにすると、縦目地上部のシーリング材５と不定形充填材６とが強固に一体化して、より確実に遮音性能および遮煙性能を発揮させることができると共に、その状態を長期間安定性よく維持させることが可能となる。
【００１６】
次に、上記図１および図３に示すような間仕切壁の上部取付構造を施工する際の施工手順は適宜であるが、例えば以下の要領で施工すればよい。すなわち、先ず天井等の上部構造体１の下面１ａに、下側が開口する断面コ字形のランナー２の上部の基部２ａを釘やビス等の固着具３で取付け、そのコ字形ランナー２の下面開口内に間仕切壁４の上部を斜め下から挿入して係合させた後、やや下降させて間仕切壁の下端部を不図示の床等の下部構造体に適宜の手段で固定する。その固定手段としては、例えば上側が開口する断面コ字形のランナーを用いたり、レール等の上に配置固定する等その他適宜である。
【００１７】
上記のようにして間仕切壁４の上部をランナー２に係合保持させ、間仕切壁４の下端部を不図示の下部構造体に適宜の手段で固定したところで、上記間仕切壁４として図３のようなコンクリート系パネルを用いた場合には、隣り合うパネル間の縦目地４ａにシーリング材５を充填する。次いで、上記ランナー２の折曲部２１と間仕切壁４とで形成される凹部ｈに不定形充填材６を充填すればよい。その不定形充填材６の充填方法は適宜であるが、例えば予めチューブ等に収容したものを、そのチューブの先端開口から順次押し出して充填したり、刷毛やコテ等で充填するようにしてもよい。このようにランナー２と間仕切壁４との間の隙間を塞ぐ充填材として不定形充填材を用いると、施工が容易で、しかも施工状況の確認も容易であり、施工費用が少なくて済む等の利点がある。
【００１８】
なお、上記実施形態は、不定形充填材６を充填するための折曲部として、ランナー２の両対向片２ｂ・２ｂの下端部に外側方に突出する断面Ｌ字形の折曲部２１を形成したが、その折曲部の断面形状は適宜であり、その折曲部と上記間仕切壁４の側面とで、上記不定形充填材６を充填し得る凹部ｈが形成され、かつ、その凹部ｈ内に不定形充填材６を充填することによって、前記ランナー２と間仕切壁４との間の隙間ｇが充分に閉塞し得る構成であればよい。
【００１９】
図４および図５は上記折曲部の変更例を示すもので、下側が開口する断面コ字形のランナー２の両対向片２ｂ・２ｂの下端部に外側方に突出する斜め下向きの折曲部２２を形成し、その折曲部２２と間仕切壁４の側面とで形成される凹部ｈ内に不定形充填材６を充填したものである。他の構成は前記実施形態と同様であり、同様の作用効果が得られる。また上記間仕切壁４として、ＡＬＣ等のコンクリート系パネルを用いた場合にも、前記と同様に隣り合うパネル間の縦目地４ａに充填されるシーリング材５を、上記折曲部２２の下端よりも上方位置まで充填できると共に、上記の不定形充填材６によって、上記縦目地４ａを含めてランナー２と間仕切壁４との間の隙間ｇを完全に閉塞して騒音や煙等が流通するのを簡単・確実に防止することができるものである。
【００２０】
なお、上記各実施形態は、コ字形ランナー２の２つの対向片２ｂ・２ｂの下部にそれぞれ折曲部２１，２２を設けたが、例えば上記両対向片２ｂ・２ｂのいずれか一方の対向片２ｂの外側方に突出する折曲部２１，２２等があると、何らかの支障がある場合、或いは間仕切壁４のいずれか一方にのみ不定形充填材６を充填すれば足りる場合には、上記のいずれか一方の対向片２ｂにのみ折曲部を設けるようにしてもよい。図６はその一例を示すもので、同図（ａ）は図で左側の対向片２ｂの下部にのみ前記図１と同様の断面Ｌ字形の折曲部２１を設けた例、同図（ｂ）は図で左側の対向片２ｂの下部にのみ前記図４と同様の斜め下向きの折曲部２２を設けた例である。他の構成は、前記各実施形態と同様であり、間仕切壁４としてＡＬＣ等のコンクリート系パネルを用いる場合も前記と同様の作用効果が得られる。
【産業上の利用可能性】
【００２１】
以上のように、本発明による間仕切壁の上部取付構造によれば、下側が開口する断面コ字形のランナー２の一対の対向片２ｂ・２ｂの少なくとも一方の下端部に外側方に突出する折曲部２１，２２を形成し、その折曲部２１，２２と、上記ランナー２に上部を挿入係合させた間仕切壁４との間に形成される凹部ｈに不定形充填材６を充填したことによって、上記間仕切壁４の上部のランナー２との間から騒音や煙等が流通するのを確実に防止することが可能となり、遮音性能および遮煙性能の優れた間仕切壁の上部取付構造を提供できるもので、各種のビル等の建築物はもとより、木造住宅やその他各種の建築物における間仕切壁の上部取付構造として有効適切であり、産業上も有効に利用することができるものである。
【図面の簡単な説明】
【００２２】
【図１】本発明による間仕切壁の上部取付構造の一実施形態を示す縦断面図。
【図２】上記実施形態で用いたランナーの斜視図。
【図３】（ａ）は間仕切壁としてコンクリート系パネルを用いた場合の縦目地部分の縦断面図、（ｂ）は（ａ）におけるｂ−ｂ断面図。
【図４】本発明による間仕切壁の上部取付構造の他の実施形態を示す縦断面図。
【図５】上記実施形態で用いたランナーの斜視図。
【図６】（ａ）および（ｂ）はそれぞれ本発明による間仕切壁の上部取付構造の更に他の実施形態を示す縦断面図。
【図７】従来の間仕切壁の上部取付構造の一例を示す縦断面図。
【図８】上記従来例で用いたランナーの斜視図。
【図９】（ａ）は間仕切壁としてコンクリート系パネルを用いた従来例の縦目地部分の縦断面図、（ｂ）は（ａ）におけるｂ−ｂ断面図。
【符号の説明】
【００２３】
１  上部構造体
１ａ  下面
２  ランナー
２ａ  基部
２ｂ  対向片
２１、２２  折曲部
３  固着具
４  間仕切壁
４ａ  縦目地
５  シーリング材
６  不定形充填材
Ｓ  間隔
ｇ  隙間
ｈ  凹部
【図１】
2010024697.tif 000003
【図２】
2010024697.tif 000004
【図３】
2010024697.tif 000005
【図４】
2010024697.tif 000006
【図５】
2010024697.tif 000007
【図６】
2010024697.tif 000008
【図７】
2010024697.tif 000009
【図８】
2010024697.tif 000010
【図９】
2010024697.tif 000011